(57)【要約】【課題】背面から後方に給排紙トレイが突出した事務用電子機器製品について好適に用いることができる表示板を提供する。【解決手段】本考案に係る表示板１は、ベース部３０と、プリンター４０の給紙トレイ４１の最大横幅よりも大きな横幅を有するとともに前記給紙トレイ４１の上端と下端の高低差よりも大きな縦幅を有する開口１１を備える背板１０と  開口１１の上部を覆うように背板１０に着脱可能に取り付けられる閉鎖板２０を有する。背板１０は、該背板１０をベース部３０に略鉛直に立設するための切欠１２を備えている。プリンター４０の給紙トレイ４１を開口１１に挿入することにより、背板１０がプリンター４０の本体の直後に位置することができる。また、開口１１が大きく設けられているために、プリンター４０を傾けることなく、そのままの姿勢で開口１１に給紙トレイ４１を挿入することができる。【選択図】図４
0003171041.tif 000002
【実用新案登録請求の範囲】
【請求項１】
本体の背面から後方に給排紙トレイが突出した事務用電子機器製品について用いる表示板であって、
ベース部と、
前記給排紙トレイの最大横幅よりも大きな横幅を有するとともに前記給排紙トレイの上端と下端の高低差よりも大きな縦幅を有する開口と、本背板を前記ベース部に略鉛直に立設するための係合部とを備える背板と、
前記開口の上部を覆うように前記背板に着脱可能に取り付けられる閉鎖板と、
を有することを特徴とする表示板。
【請求項２】
前記開口の下部が、対象とする事務用電子機器製品の前記給排紙トレイの根元付近の横幅と略同じ横幅を有することを特徴とする、請求項１に記載の表示板。
【請求項３】
前記ベース部が、前記事務用電子機器製品の本体を載置するための載置台を備えることを特徴とする、請求項１又は請求項２に記載の表示板。
【考案の詳細な説明】
【技術分野】
【０００１】
本考案は、事務用電子機器製品の宣伝を行うための表示板に関する。
【背景技術】
【０００２】
従来より、家電製品量販店等において陳列台の上に家電製品を陳列する際、陳列台上の該家電製品の横や前に表示板を設置し、該家電製品の品番や価格、特徴等といった製品情報を表示することが行われている。このような表示板には、表示内容が客の目に付きやすいように、様々な趣向を凝らしたものが用いられている。例えば、特許文献１に記載の立体表示板は、製品情報が記載された表示板部を、厚紙等で形成された基板の上に立体的に配置したものである。
【０００３】
このような従来の立体表示板は、製品情報を客に対して有効にアピールすることができるという利点がある反面、陳列台の上のスペースが乏しい場合、その設置場所を確保することが難しい。そこで、このような場合は、陳列された家電製品の背面側に平面状の表示板を設置し、製品情報を表示することが行われている。
【先行技術文献】
【特許文献】
【０００４】
【特許文献１】実開平5-29072号公報
【考案の概要】
【考案が解決しようとする課題】
【０００５】
しかしながら、プリンターやコピー機、ファクシミリ等、製品本体の背面から後方に給紙トレイや排紙トレイ等が突出した事務用電子機器製品の場合、その本体の背面側に平面状の表示板を設置しようとすると製品本体と表示板の設置位置とが大幅に離間するほか、多くの場合、そもそも陳列台が製品を載置するに最小限の大きさしかないことから、給排紙トレイを含む製品の背後に表示板を設置すること自体が困難であった。
【０００６】
本考案は上記課題を解決するために成されたものであり、その目的とするところは、本体の背面から後方に給排紙トレイが突出した事務用電子機器製品であっても好適に用いることができる表示板を提供することにある。
【課題を解決するための手段】
【０００７】
上記課題を解決するために成された本考案に係る表示板は、本体の背面から後方に給排紙トレイが突出した事務用電子機器製品について用いる表示板であって、
ベース部と、
前記給排紙トレイの最大横幅よりも大きな横幅を有するとともに前記給排紙トレイの上端と下端の高低差よりも大きな縦幅を有する開口と、本背板を前記ベース部に略鉛直に立設するための係合部とを備える背板と、
前記開口の上部を覆うように前記背板に着脱可能に取り付けられる閉鎖板と、
を有することを特徴とする。
【０００８】
なお、「本体の背面から後方に給排紙トレイが突出した事務用電子機器製品」には、具体的にはプリンター、コピー機、ファクシミリが当てはまるが、これらに限定されるものではない。
【０００９】
本考案に係る表示板は、次のように使用する。まず、対象とする事務用電子機器製品を置こうとする陳列台にベース部を載置し、そのベース部に背板を略鉛直に立設する。この背板に設けられた前記開口に、対象とする事務用電子機器製品の背面から突出する給排紙トレイを挿入しつつ、当該製品を本表示板のすぐ近くまで進めてそこに置く。本考案に係る表示板では上記のように開口部の縦幅が給排紙トレイの上端と下端の高低差よりも大きいため、背面から後方に突出する給排紙トレイがたとえ上方又は下方に傾いていたとしても、当該製品を傾けることなく、まっすぐな状態で本表示板の近くまで進めることができる。
こうして当該製品を本表示板のすぐ近くに載置した後、本表示板の開口の上部に閉鎖板を取り付け、開口を前記閉鎖板で覆う。給排紙トレイが当該製品の背面から斜め上方に向かって突出している場合、当該製品を設置した後は背板の開口の上部は大きく空いた状態となっているが、本考案に係る表示板ではこの空いた部分を閉鎖板で隠すことができる。
【００１０】
本考案に係る表示板では、前記開口の下部が、対象とする事務用電子機器製品の前記給排紙トレイの根元付近の横幅と略同じ横幅を有するように狭くなっていることが望ましい。多くの場合、給排紙トレイは事務用電子機器製品の後方から斜め上方に突出しているが、その場合このようにすることにより、開口をより多く隠すことができるとともに、給排紙トレイの根元付近の両端が前記開口の当該部分によって挟持されるようになるため、背板をより安定的に保持することができる。
【００１１】
本考案に係る表示板の前記ベース部は、前記事務用電子機器製品の本体を載置するための載置台を備えていてもよい。この載置台に事務用電子機器製品を載置すれば、事務用電子機器製品の重みによってベース部及びその上に略鉛直に立設された背板をより安定的に保持することができる。
【考案の効果】
【００１２】
本考案に係る表示板は、対象とする事務用電子機器製品の背面から給排紙トレイが突出している場合も当該製品の直後に置くことができるため、当該製品を置こうとする陳列台のスペースが狭い場合にも、使用することができる。また、本考案に係る表示板を立設した後に当該製品をその直前に置く際、背板の開口が大きいため、当該製品を傾けたりする必要がなく、そのままの姿勢で後部の給排紙トレイを開口に挿入することができる。このため、製品の設置が容易である。更に、その開口を閉鎖板で閉鎖するため表示板としての見栄えが良く、また、その閉鎖板に製品情報を表示することにより、表示板としての機能をよりよく発揮することができる。
【図面の簡単な説明】
【００１３】
【図１】（ａ）本考案の一実施例に係る表示板の背板の前面を示す平面図。（ｂ）背板の背面を示す平面図。
【図２】（ａ）板材収納部の展開図。（ｂ）板材の背面を示す斜視図。（ｃ）閉鎖板の縦断面図。
【図３】本実施例に係るベース部の斜視図。
【図４】本実施例に係る表示板をプリンターについて用いる際の工程を示す模式図。
【図５】本実施例に係る表示板をプリンターについて用いた際の、閉鎖板の取り付け位置付近の縦断面図。
【図６】（ａ）載置台を有するベース部の斜視図。（ｂ）載置台を有する表示板をプリンターについて用いた状態を示す斜視図。
【図７】（ａ）ベース部の変形例を示す斜視図。（ｂ）ベース部の他の変形例を示す斜視図。
【考案を実施するための形態】
【００１４】
本考案の一実施例である表示板１について、図１〜図３を参照しながら説明する。なお、以下の説明において、表示板１を事務用電子機器製品について用いた際に客から見える側を「前面」、その反対側を「背面」と表記する。
【００１５】
本実施例に係る表示板１は、背板１０、閉鎖板２０及びベース部３０から構成される。
背板１０は、対象とする事務用電子機器製品の製品情報を表示するために、ベース部３０に略鉛直に立設されるものである。背板１０はスチレン製の板材から成り、幅は対象とする事務用電子機器製品の幅に合わせ、高さはその上面から数十cm程度突出するようにする。なお、幅は多少狭くしてもよいし、広くしてもよい。背板１０の材質は、他のプラスチックでもよく、また、段ボールでもよい。
背板１０の下端両角近くにはそれぞれ矩形状の切欠１２が設けられている。切欠１２は、本考案における係合部に相当するものである。
【００１６】
背板１０の中央には、略矩形の横長の開口１１が設けられている。開口１１の横幅は、対象とする事務用電子機器製品の給排紙トレイの最大横幅よりも大きくし、縦幅は、給排紙トレイの上端と下端の高低差よりも大きくする。
また、開口１１の下部１４は、対象とする事務用電子機器製品の給排紙トレイの根元付近と略同じ横幅を有するように狭くする。
【００１７】
背板１０の前面（図１（ａ））には、対象とする事務用電子機器製品の製品情報や、当該製品を宣伝するためのイラスト等を表示する（図示せず）。このような製品情報やイラスト等は、背板１０に直接印刷して表示しても良いし、これらを印刷した紙を背板１０に貼り付けても良い。
背板１０の裏面（図１（ｂ））には、開口１１の上端部の中央に、補強板１３が接着されている。補強板１３は、後述する閉鎖板２０のクリップ材２３を背板１０に止着した際に、背板１０を損傷しないためのものである。
【００１８】
閉鎖板２０は、板材収納部２１、板材収納部に収納される板材２２、及び、板材２２の背面上部に固定されるクリップ材２３から成る。閉鎖板２０は開口１１の上部を覆ってこれを隠すためのものであり、クリップ材２３によって背板１０に着脱可能に取り付けられる。閉鎖板２０の横幅は開口１１の横幅よりもやや大きくし、縦幅は、本閉鎖板２０の下端が給排紙トレイの直上に来る程度とする。
板材２２は、スチレン製の板を略矩形状に切断したものである（図２（ｂ））。
板材収納部２１は薄い透明プラスチック板から成り、図２（ａ）に示すように、正面板２１ａの左右及び下方に設けた折り返し板２１ｂ、２１ｃを、狭い溝を設けるように正面板２１ａの後方に折り返すことにより形成される。この溝の幅を板材２２の厚みと略同等としておき、正面板２１ａと板材２２の表面の間に表示用紙２４を挟むことにより、折り返し板２１ｂ、２１ｃの弾性力により板材収納部２１が板材２２に固定される。
【００１９】
ベース部３０は、図３に示すように、断面矩形状の細長いプラスチック製の棒材の両端をコの字状に折り曲げて形成したものである。
なお、ベース部３０の材質も、プラスチックに限定されず、段ボールでもよい。
【００２０】
次に、本考案に係る表示板１を、給紙トレイ４１が本体背面から斜め上方に突出しているプリンター４０について用いる際の工程について、図４及び図５を参照しながら説明する。
【００２１】
まず、ベース部３０を、プリンター４０が陳列される陳列台の上に置く。次に、ベース部３０の両端のコの字状の桟３２に、背板１０の下端の２個の切欠１２を差し込むことにより、背板１０をベース部３０に立設する（図４（ａ））。
さらに、陳列台の上にプリンター４０の本体を置き、背板１０に設けられた開口１１に給紙トレイ４１を挿入して、そのままの姿勢で該本体を陳列台の上をスライドさせながら進ませる。プリンター４０が背板１０の直前に来た時点で、プリンター４０を陳列台上に載置する。このとき、給紙トレイ４１の根元付近は開口１１の下方の狭い部分である下部１４に丁度入る（図４（ｂ））。
最後に、クリップ材２３により、閉鎖板２０を背板１０の開口１１の上部に取り付ける（図４（ｃ））。
【００２２】
図５は、背板１０における閉鎖板２０の取り付け位置付近の縦断面図である。
上述したように表示板１をプリンター４０について用いると、図５に示すように、プリンター４０の本体背面から斜め上方に突出した給紙トレイ４１の大部分が開口１１をくぐり抜け、背板１０の背面側にくる。このような構成により、背板１０がプリンター４０の本体の直後に位置することができる。従って、プリンター４０を置こうとする陳列台のスペースが狭い場合にも、表示板１を用いることができる。
【００２３】
図５に示すように、開口１１の大部分が閉鎖板２０によって隠れるため、表示板１の見栄えが良くなる。さらに、該閉鎖板２０にプリンター４０の製品情報を表示することにより、表示板１の表示板としての機能をよりよく発揮させることができる。
【００２４】
また、開口１１の下部１４は、開口１１の他の部分よりも狭い横幅を有し、対象とするプリンター４０の給紙トレイ４１の根元付近と略同じ横幅となるように設計されている。これにより、給紙トレイ４１の根元付近の両端が開口１１の下部１４によって挟持されるため、背板１０をより安定的に保持することができる。
【００２５】
本考案は種々の変更が可能である。
図６（ａ）に示すように、ベース部３０Ａが、その前方に、対象とする事務用電子機器製品を載置するための載置台３１を有するようにしてもよい。載置台３１は、当該製品の下面と略同じ又はやや大きな略矩形の載置面を有するものとすることができる。ベース部３０に取り付けられた載置台３１に事務用電子機器製品を載置すれば、当該製品の重みによってベース部３０Ａ及びその上に略鉛直に立設された背板１０をより安定的に保持することができる。図６（ｂ）は、載置台３１を有する表示板１Ａをプリンター４０について用いた状態を示す図である。
【００２６】
また、図７の(ａ)に示すように、ベース部３０Ｂに、その後方から突出する安定板３４を設けてもよい。この安定板は、図７の（ｂ）に示すように、ベース部３０Ｃの前方に突出するようにしてもよい。この場合、この安定板３４Ａ上に事務用電子機器製品を載置することによりベース部３０Ｃ及び背板１０をより安定的に保持することができる。
【符号の説明】
【００２７】
１、１Ａ…表示板
１０…背板
１１…開口
１２、１２Ａ…切欠
１３…補強板
１４…開口の下部
２０…閉鎖板
２１…板材収納部
２２…板材
２３…クリップ材
２４…表示用紙
３０、３０Ａ、３０Ｂ、３０Ｃ…ベース部
３１…載置台
３２…桟
３４、３４Ａ…安定板
４０…プリンター
４１…給紙トレイ
【図１】
0003171041.tif 000003
【図２】
0003171041.tif 000004
【図３】
0003171041.tif 000005
【図４】
0003171041.tif 000006
【図５】
0003171041.tif 000007
【図６】
0003171041.tif 000008
【図７】
0003171041.tif 000009